(57)【要約】【課題】冊子状の原稿から冊子状の複製物を作成する場合に，簡易な設定で自動的に冊子状態として出力することができる画像形成装置を提供すること。【解決手段】本発明のコピー機１は，原稿の画像を読み取る画像読取部３０と，画像読取部３０で読み取った画像を媒体上に形成する画像形成部４０と，画像形成後の媒体に折り処理を施す紙折り装置１２０と，画像形成後の媒体の束に綴じ処理を施すステープル装置１５０とを有する。操作パネルから小冊子原稿モードが選択されると，原稿の両面をそのまま媒体の両面に画像形成し，紙折り装置１２０によってその媒体の中央部を長辺方向と交差する方向に折り，ステープル装置１５０によって紙折り後の媒体の束の中央部を長辺方向と交差する方向に綴じることにより，冊子状原稿から冊子状複製物を作成する。【選択図】            図１
2005249837.tif 000002
【特許請求の範囲】
【請求項１】
原稿の画像を読み取る画像読み取り部と，前記画像読み取り部で読み取った画像を媒体上に形成する画像形成部と，画像形成後の媒体の束に綴じ処理を施す綴じ処理部とを有する画像形成装置において，
冊子状原稿から冊子状複製物を作成する冊子複製モード指示手段を有し，
前記冊子複製モード指示手段は，
前記画像形成部に，原稿の第１面の画像を媒体の第１面に形成することと，原稿の第２面の画像を媒体の第２面に形成することとを指示し，
前記綴じ処理部に，画像形成後の媒体の束の中央部を長辺方向と交差する方向に綴じることを指示することを特徴とする画像形成装置。
【請求項２】
原稿の画像を読み取る画像読み取り部と，前記画像読み取り部で読み取った画像を媒体上に形成する画像形成部と，画像形成後の媒体に折り処理を施す折り処理部とを有する画像形成装置において，
冊子状原稿から冊子状複製物を作成する冊子複製モード指示手段を有し，
前記冊子複製モード指示手段は，
前記画像形成部に，原稿の第１面の画像を媒体の第１面に形成することと，原稿の第２面の画像を媒体の第２面に形成することとを指示し，
前記折り処理部に，画像形成後の媒体の中央部を長辺方向と交差する方向に折ることを指示することを特徴とする画像形成装置。
【請求項３】
原稿の画像を読み取る画像読み取り部と，前記画像読み取り部で読み取った画像を媒体上に形成する画像形成部と，画像形成後の媒体に折り処理を施す折り処理部と，画像形成後の媒体の束に綴じ処理を施す綴じ処理部とを有する画像形成装置において，
冊子状原稿から冊子状複製物を作成する冊子複製モード指示手段を有し，
前記冊子複製モード指示手段は，
前記画像形成部に，原稿の第１面の画像を媒体の第１面に形成することと，原稿の第２面の画像を媒体の第２面に形成することとを指示し，
前記折り処理部に，画像形成後の媒体の中央部を長辺方向と交差する方向に折ることを指示し，
前記綴じ処理部に，折り処理後の媒体の束の中央部を長辺方向と交差する方向に綴じることを指示することを特徴とする画像形成装置。
【請求項４】
請求項１から請求項３までのいずれか１つに記載する画像形成装置において，
原稿の載置方向を判別する原稿方向判別手段を有し，
前記冊子複製モード指示手段は，前記原稿方向判別手段により判別された載置方向が，原稿の長辺方向と前記綴じ処理部もしくは前記折り処理部の処理方向とが一致する方向であった場合には，前記画像形成部に，原稿の画像を回転させて媒体に形成することを指示することを特徴とする画像形成装置。
【発明の詳細な説明】
【技術分野】
【０００１】
本発明は，コピー機能を有する画像形成装置に関する。さらに詳細には，両面印刷可能な画像形成装置に関するものである。
【背景技術】
【０００２】
従来より，両面印刷可能な画像形成装置では，１枚の用紙に片面２ページずつ，表裏両面で４ページを印刷し，それを重ねてブック型小冊子を作成できるものが提案されている（例えば，特許文献１，特許文献２参照。）。特許文献１に記載の技術では，記憶されている複数ページ分の画像を，ブック型左中綴じ二つ折りに製本できるようにページ順を考慮して印刷することができる。また，特許文献２に記載の技術では，製本された原稿を見開き状態で読み取る。そして，印刷された用紙を重ねて二つ折りし中綴じすることによって，原稿と同じページ順の冊子が形成できるように，読み取った画像データの配置を変更して両面印刷するものである。
【０００３】
また，大型コピー機等では，両面印刷機能に加え自動原稿両面搬送装置（以下，ＡＤＦと呼ぶ）や高性能フィニッシャを有するものもある。ＡＤＦによれば，両面印刷されたシート原稿を重ねて投入することにより，１枚ずつ自動的に原稿読取装置へ搬送し，表裏両面の画像を読み取ることができる。高性能フィニッシャによれば，中折り機能やステープル機能を有し，両面印刷された用紙を積み重ねて中折りし，中央部にステープル処理を施して製本化することができる。
【特許文献１】特開２００１−２２１３４号公報（第４−５頁）
【特許文献２】特開２００３−１８９０２７号公報
【発明の開示】
【発明が解決しようとする課題】
【０００４】
しかしながら，前記した従来のコピー機等の画像形成装置では，小冊子状態の原稿からその複写物を作成しようとした場合に，原稿のセット方向や原稿ページが縦長か横長かの区別を使用者が意識して設定する必要があった。さらに，フィニッシャによってステープル処理をさせて，小冊子状態とした複写物を得ようとする場合には，さらにステープル処理の方向を考慮して，原稿の方向やステープル位置を操作パネルから設定しなければならなかった。これらの設定は，不慣れな使用者にとっては煩わしく，また間違えた場合には資源や時間の損失が大きいものとなるという問題点があった。特に中央綴じのステープルは，人手では行いにくいので，細かい設定入力を必要とせず，自動的に複写物が作成できる画像形成装置が望まれていた。
【０００５】
本発明は，前記した従来の画像形成装置が有する問題点を解決するためになされたものである。すなわちその課題とするところは，冊子状の原稿から冊子状の複製物を作成する場合に，簡易な設定で自動的に冊子状態として出力することができる画像形成装置を提供することにある。
【課題を解決するための手段】
【０００６】
この課題の解決を目的としてなされた本発明の画像形成装置は，原稿の画像を読み取る画像読み取り部と，画像読み取り部で読み取った画像を媒体上に形成する画像形成部と，画像形成後の媒体の束に綴じ処理を施す綴じ処理部とを有する画像形成装置であって，冊子状原稿から冊子状複製物を作成する冊子複製モード指示手段を有し，冊子複製モード指示手段は，画像形成部に，原稿の第１面の画像を媒体の第１面に形成することと，原稿の第２面の画像を媒体の第２面に形成することとを指示し，綴じ処理部に，画像形成後の媒体の束の中央部を長辺方向と交差する方向に綴じることを指示するものである。
【０００７】
本発明の画像形成装置によれば，冊子複製モード指示手段を有するので，冊子状原稿から冊子状複製物を作成することを指示できる。さらに，冊子複製モードが指示されると原稿の両面が媒体の両面に形成され，その媒体の束の中央部が長辺方向と交差する方向に綴じられる。従って，中央短辺方向綴じの冊子状複製物が作成される。これにより，冊子状の原稿から冊子状の複製物を作成する場合に，簡易な設定で自動的に冊子状態として出力することができる。
【０００８】
また，本発明の画像形成装置は，原稿の画像を読み取る画像読み取り部と，画像読み取り部で読み取った画像を媒体上に形成する画像形成部と，画像形成後の媒体に折り処理を施す折り処理部とを有する画像形成装置であって，冊子状原稿から冊子状複製物を作成する冊子複製モード指示手段を有し，冊子複製モード指示手段は，画像形成部に，原稿の第１面の画像を媒体の第１面に形成することと，原稿の第２面の画像を媒体の第２面に形成することとを指示し，折り処理部に，画像形成後の媒体の中央部を長辺方向と交差する方向に折ることを指示するものでもよい。
【０００９】
この画像形成装置によれば，冊子複製モードが指示されると原稿の両面が媒体の両面に形成され，その媒体の中央部が長辺方向と交差する方向に折られる。従って，短辺方向二つ折りの冊子状複製物が作成される。これにより，冊子状の原稿から冊子状の複製物を作成する場合に，簡易な設定で自動的に冊子状態として出力することができる。
【００１０】
また，本発明の画像形成装置は，原稿の画像を読み取る画像読み取り部と，画像読み取り部で読み取った画像を媒体上に形成する画像形成部と，画像形成後の媒体に折り処理を施す折り処理部と，画像形成後の媒体の束に綴じ処理を施す綴じ処理部とを有する画像形成装置であって，冊子状原稿から冊子状複製物を作成する冊子複製モード指示手段を有し，冊子複製モード指示手段は，画像形成部に，原稿の第１面の画像を媒体の第１面に形成することと，原稿の第２面の画像を媒体の第２面に形成することとを指示し，折り処理部に，画像形成後の媒体の中央部を長辺方向と交差する方向に折ることを指示し，綴じ処理部に，折り処理後の媒体の束の中央部を長辺方向と交差する方向に綴じることを指示するものでもよい。
【００１１】
この画像形成装置によれば，冊子複製モードが指示されると原稿の両面が媒体の両面に形成され，その媒体の中央部が長辺方向と交差する方向に折られた後に，束にされて折り目のところが綴じられる。従って，短辺方向二つ折りで折り目が綴じられた冊子状複製物が作成される。これにより，冊子状の原稿から冊子状の複製物を作成する場合に，簡易な設定で自動的に冊子状態として出力することができる。
【００１２】
さらに，本発明では，原稿の載置方向を判別する原稿方向判別手段を有し，冊子複製モード指示手段は，原稿方向判別手段により判別された載置方向が，原稿の長辺方向と綴じ処理部もしくは折り処理部の処理方向とが一致する方向であった場合には，画像形成部に，原稿の画像を回転させて媒体に形成することを指示することが望ましい。
このようにすれば，原稿がその長辺方向と綴じ処理部もしくは折り処理部の処理方向とが一致する方向に載置された場合には，画像が回転される。これによって，折り処理部によって，画像形成後の媒体の中央部を長辺方向と交差する方向に折ることができる。あるいは，綴じ処理部によって，画像形成後の媒体の束の中央部を長辺方向と交差する方向に綴じることができる。
【発明の効果】
【００１３】
本発明の画像形成装置によれば，冊子状の原稿から冊子状の複製物を作成する場合に，簡易な設定で自動的に冊子状態として出力することができる。
【発明を実施するための最良の形態】
【００１４】
以下，本発明を具体化した最良の形態について，添付図面を参照しつつ詳細に説明する。本形態は，高機能型の大型コピー機に本発明を適用したものである。
【００１５】
本形態のコピー機１は，図１に示すように，複写装置１０と，その複写装置１０に連結されたフィニッシャ１００とを有している。複写装置１０は，その上部にＡＤＦ２０を備え，画像読取部３０，画像形成部４０，給紙カセット５０，用紙搬送部６０，操作パネル７０を有している。ＡＤＦ２０は，原稿トレイ２２にセットされた原稿を１枚ずつ画像読取部３０に供給する。画像読取部３０で読み取られた原稿の画像データは，画像データ処理部３２のメモリに格納される。画像データ処理部３２で適宜処理された画像データは，画像形成部４０に送られる。また，給紙カセット５０に収納されている用紙が，用紙搬送部６０によって１枚ずつ画像形成部４０に搬送される。画像形成部４０において画像が形成された用紙は，さらに用紙搬送部６０によって搬送され，排出部６２からこの複写装置１０の外部に排出される。操作パネル７０は，使用者が指示入力するためのものである。
【００１６】
ここで，用紙搬送部６０には，第１搬送路６４，スイッチバック部６５，循環路６６の３種類の搬送経路が形成されている。さらに，第１搬送路６４における，排出部６２とスイッチバック部６５との分岐点には，切替爪６７が設けられている。この切替爪６７は，通常は用紙を排出部６２へ通す配置になっているが，適宜切替えられて，用紙をスイッチバック部６５へ通す配置ともなる。この切替爪６７の切替により，給紙カセット５０から給紙された用紙は，第１搬送路６４を経て，画像形成部４０で画像を形成された後，排出部６２へと至ることもできる。あるいは，排出部６２の手前でスイッチバック部６５によってスイッチバックされ，循環路６６を経て再び第１搬送路６４へと供給されることもできる。すなわち，この複写装置１０では，用紙の表裏両面にそれぞれ画像形成することができる。
【００１７】
また，図には現れていないが，ＡＤＦ２０にも同様の切替爪が設けられている。この切替爪により，原稿の片面側を画像読取部３０に供給した後，その原稿をスイッチバックさせて裏面を再び画像読取部３０に供給することができる。すなわち，この複写装置１０では，原稿の表裏両面をそれぞれ画像データとして読み取ることができる。
【００１８】
また，フィニッシャ１００は，搬入部１１０，紙折り装置１２０，パンチ装置１３０，後処理トレイ部１４０，ステープル装置１５０，集積トレイ部１６０，排紙トレイ部１７０，および各装置を連結して用紙あるいは用紙束を搬送する搬送部１８０を有している。搬入部１１０は，複写装置１０の排出部６２から排出された用紙を搬入する。紙折り装置１２０は，搬入された用紙を，半分に２つ折りまたはＺ状に３つ折りする。パンチ装置１３０は，用紙にファイリング用の穴を開ける。後処理トレイ部１４０は，ステープル処理をする前に用紙を積載して整合する。ステープル装置１５０は，後処理トレイ部１４０で整合された用紙束にステープル処理を行う。集積トレイ部１６０は，ステープル処理した用紙束あるいはステープル処理していない用紙のいずれをも収容できる。また，排紙トレイ部１７０は，フィニッシャ１００から排出される用紙を積載する。
【００１９】
フィニッシャ１００では，機能が使用されない装置は素通りする。例えば，複写装置１０で画像形成された複数枚の用紙をブック型中綴じ二つ折りに製本する場合は，次のように動作する。まず，画像形成済みの用紙は，搬入部１１０から１枚ずつ搬入される。搬入された用紙は，紙折り装置１２０によって１枚ずつ２つ折りされる。次に，パンチ装置１３０を素通りし，後処理トレイ部１４０に搬送される。次の用紙も同様に２つ折りされて後処理トレイ部１４０に搬送され，先の用紙に積み重ねられる。１冊分の用紙が後処理トレイ部１４０に積み重ねられたら，用紙端部が整合されてステープル装置１５０に送られる。ステープル装置１５０によって，折り目の凸側から所定箇所にステープルが打ち込まれる。そして，その綴じられた用紙束は，集積トレイ１６０上に排出される。
【００２０】
ここで，ステープル装置１５０によるステープル方向は，一般に装置によって決まっている。このステープル装置１５０では，ステープル針の方向が紙送り方向に直角方向とされている。また，ステープル装置１５０は，紙送り方向に直角方向（ステープル針の長手方向）に移動可能であり，用紙に対して同一直線上に並んだ複数箇所のステープル処理を行うことができる。一方，紙送り方向には移動不可能であり，紙送り方向（ステープル針に直角方向）のステープル位置は，用紙自体の送りによって位置合わせが行われる。
【００２１】
次に，このコピー機１によって，小冊子型の原稿から小冊子型の複写物を形成する場合の手順について説明する。ここでは，小冊子原稿２として，図２に示すように，両面４ページの用紙を短辺と平行な方向に中央を二つ折りし，さらに綴じて製本したものとする。開き順は，左開きでも右開きでもかまわない。また，ページ方向は図のような縦長ページに限らず，横長ページを縦にめくる形式でもかまわない。使用者は，まず小冊子原稿２のステープル２ａを外して，複数枚のシート原稿の束とする。このシート原稿は，各１枚毎に見開き２ページで両面４ページ分の画像を有するものとなる。使用者は，この原稿束をＡＤＦ２０にセットする。
【００２２】
このとき，コピー機１の上面に設けられ，使用者が各種設定を入力するための操作パネル７０には，初期状態では図３に示すように「基本」タブが表示されている。そこで，使用者は，小冊子原稿モードを選択するために，「応用」タブを入力する。すると，操作パネル７０には，図４に示すように表示される。この中に「小冊子原稿」という選択肢があるので，使用者はこれを入力する。その結果，操作パネル７０には，図５に示すように，小冊子原稿モードが表示される。小冊子原稿モードでは「原稿送り装置」（ＡＤＦ２０による原稿読取）が初期設定されている。原稿を手置き入力する場合は，「手置き入力」キーを入力する。さらに，使用者が「ＯＫ」を入力すれば，小冊子原稿モードが設定される。そして，図示しないスタートキーをＯＮすることにより，小冊子原稿モードによるコピーがスタートする。
【００２３】
小冊子原稿モードが開始されると，後の処理はコピー機１によって自動的に行われる。まず，ＡＤＦ２０にセットされた束原稿が１枚ずつ搬送され，その両面が読み込まれる。一方，手置き入力の場合にはまず片面を読み込ませ，使用者が原稿を裏返して裏面を読み込ませる必要がある。手置き入力が選択された場合には，２回に分けて読み込んだ画像データを１枚の用紙の両面の画像として認識させる分割読み込みモードが設定される。なおここでは，もともと小冊子であった原稿なので，ページの並び替えの設定は不要である。続いて読み込まれた２枚分の画像データを，１枚の用紙の両面にそのまま画像形成すればよい。
【００２４】
一方，画像データの向きについては，使用者によって置かれた原稿の用紙方向によって異なる処理となる。このコピー機１では，紙送り方向に対して直角方向にステープルが打ち込まれる。そのため，短辺と平行な方向にステープルを行うためには，用紙搬送方向を用紙の長手方向とする必要がある。従って，原稿の長手方向が用紙搬送方向と一致する置き方（以下，横長置きと言う）にされた場合には，そのままの方向で画像形成すればよい。しかし，小型の小冊子等で，原稿の長手方向が用紙搬送方向と直交する置き方（以下，縦長置きと言う）にされた場合には，画像データの向きを９０度回転することにより横長の画像データとする。複写装置１０では，原稿の大きさに対応する用紙を選択して，そのように処理された画像データに基づき用紙の両面に画像形成する。
【００２５】
複写装置１０で画像形成された用紙は，排出部６２からフィニッシャ１００の搬入部１１０に搬入される。フィニッシャ１００では，紙折り装置１２０によって用紙中央部で２つ折りにし，後処理トレイ部１４０に積み重ねる。全ページ分の用紙が積み重ねられたら，用紙を整合してステープル装置１５０に送り，用紙長手方向の中央位置がステープル装置１５０の位置となるようにセットする。ステープル装置１５０によって，その位置に用紙の短辺と平行にステープル処理する。以下では，この短辺と平行な方向にステープルを打つことを短辺方向綴じと言う。同様に，長辺と平行な方向にステープルを打つことを長辺方向綴じと言う。さらに，ステープル装置１５０を用紙搬送方向に直角に移動させて，同一ライン上に複数箇所のステープルを打つこともできる。一般には，２箇所のステープル処理がなされるが，これは使用者による変更も可能である。そして，ステープル処理の終了した用紙束は集積トレイ１６０上に排出される。この結果，図２に示すような小冊子複写物３が作成された。
【００２６】
次に，本形態のコピー機１による複写処理について，図６〜図１０のフローチャートに基づいて説明する。ここで，図６に示したのは，このコピー機１のメインルーチンである。図７に示したのは，操作パネル７０からのキー入力処理ルーチンである。図８に示したのは，ＡＤＦ２０の設定を行うＡＤＦ制御処理ルーチンである。図９に示したのは，複写装置１０での画像形成処理ルーチンである。図１０に示したのは，フィニッシャ１００を制御するフィニッシャ制御処理ルーチンである。ここでは，小冊子原稿モードが選択された場合の処理の流れを中心として記載した。
【００２７】
まず，図６に基づいて，メインルーチンを説明する。この処理は，コピー機１の電源投入とともに開始される。電源投入されるとまず，各種の初期設定が行われる（Ｓ１０１）。そして，装置各所のタイミングを取るための内部タイマをセットする（Ｓ１０２）。次に，使用者による操作パネル７０からの入力を受けるキー入力処理ルーチンを実行する（Ｓ１０３）。この内容については後述する。次に，その入力に応じて，操作パネル７０の表示を行う操作パネル表示ルーチンを実行する（Ｓ１０４）。
【００２８】
次に，ＡＤＦ制御処理ルーチン（Ｓ１０５），画像形成処理ルーチン（Ｓ１０６），フィニッシャ制御処理ルーチン（Ｓ１０７）をそれぞれ実行する。これらの内容については後述する。続いて，これら以外の各種の処理を行う（Ｓ１０８）。そして，Ｓ１０２でセットした内部タイマが終了するまで待機し（Ｓ１０９），終了したら（Ｓ１０９：Ｙｅｓ），再びＳ１０２に戻って内部タイマのセットを行う。そして，電源が遮断されるまでＳ１０２〜Ｓ１０９を繰り返す。以上で，メインルーチンの説明を終了する。
【００２９】
次に，図７に基づいて，キー入力処理ルーチンを説明する。この処理は，使用者によって操作パネル７０の操作が行われた場合に実行される。まず，使用者によって小冊子原稿モードが選択されたかどうかを判断する（Ｓ２０１）。操作パネル７０の「応用」タブから「小冊子原稿」キーが入力された場合は（Ｓ２０１：Ｙｅｓ），Ｓ２０２に示した小冊子原稿用の各種デフォルト設定がセットされる。すなわち，両面読取で両面印刷が選択される。また綴じ位置は中央，綴じ方向は短辺方向が選択される。従って，用紙の中央部が長辺方向と交差する方向に綴じられる。また同位置での二つ折りも選択される。さらに，読取方法はＡＤＦ２０が，原稿の置き方向は横長置きが，それぞれデフォルト設定として選択される（Ｓ２０２）。
【００３０】
次に，「小冊子原稿」モード中の「手置き入力」が選択されたかどうかを判断する（Ｓ２０３）。「手置き入力」が選択された場合には（Ｓ２０３：Ｙｅｓ），読取方法を手置きに変更し，分割読み込みモードを設定する（Ｓ２０４）。「手置き入力」が選択されなければ（Ｓ２０３：Ｎｏ），デフォルト設定のままでよい。さらに，部数，濃度等の他の設定が入力された場合には，その処理を行い（Ｓ２０５），このルーチンの処理を終了する。
【００３１】
次に，図８に基づいて，ＡＤＦ制御処理ルーチンを説明する。この処理は，ＡＤＦ２０の制御を行うものである。従って，ＡＤＦ２０による入力が選択されていない場合には実行されない。このルーチンが実行されるとまず，両面原稿が設定されているかどうかを判断する（Ｓ３０１）。小冊子原稿モードでは一般に，両面原稿が設定されている。両面原稿でない場合は（Ｓ３０１：Ｎｏ），Ｓ３０２〜Ｓ３０５の処理を実行せず，Ｓ３０６に進む。
【００３２】
両面原稿の場合は（Ｓ３０１：Ｙｅｓ），まず第１面の読取順かどうかを判断する（Ｓ３０２）。その原稿の１面目の読取時には（Ｓ３０２：Ｙｅｓ），ＡＤＦ２０の原稿搬送路に設けられた切替爪を第１面用の配置にセットする（Ｓ３０３）。こうしておくことで，その面の読取が終了しても原稿が排出されず，連続して第２面の読取を行うことができる。そして，第１面の読取が終了したかどうかを判断する（Ｓ３０４）。終了していなければ（Ｓ３０４：Ｎｏ），そのまま継続する。第１面の読取が終了したら（Ｓ３０４：Ｙｅｓ），切替爪を元の状態に戻す（Ｓ３０５）。これにより，第２面の読取が終了したら，原稿は排出される。
【００３３】
次に，読取を実行するタイミングであるかどうかを判断する（Ｓ３０６）。読取タイミングでは（Ｓ３０６：Ｙｅｓ），画像読取部３０によって画像読取処理が実行され（Ｓ３０７），このルーチンの処理を終了する。読取タイミングでない場合は（Ｓ３０６：Ｎｏ），このまま終了する。
【００３４】
次に，図９に基づいて，画像形成処理ルーチンを説明する。この処理は，複写装置１０による画像形成の制御を行うものである。このルーチンが実行されるとまず，両面印刷が設定されているかどうかを判断する（Ｓ４０１）。小冊子印刷モードでは一般に，両面印刷が設定されている。両面印刷でない場合は（Ｓ４０１：Ｎｏ），Ｓ４０２〜Ｓ４０５の処理を実行せず，Ｓ４０６に進む。
【００３５】
両面印刷の場合は（Ｓ４０１：Ｙｅｓ），まず第１面の印刷順かどうかを判断する（Ｓ４０２）。その用紙に対する印刷がまだ行われていない場合には（Ｓ４０２：Ｙｅｓ），複写装置１０の用紙搬送路６０に設けられた切替爪６７を第１面用の配置にセットする（Ｓ４０３）。こうしておくことで，その面の印刷が終了しても用紙が排出されず，連続して第２面の印刷を行うことができる。そして，第１面の印刷が終了したかどうかを判断する（Ｓ４０４）。終了していなければ（Ｓ４０４：Ｎｏ），そのまま継続する。第１面の印刷が終了したら（Ｓ４０４：Ｙｅｓ），切替爪６７を元の状態に戻す（Ｓ４０５）。これにより，第２面の印刷が終了したら，用紙はフィニッシャ１００へと排出される。
【００３６】
次に，用紙の長手方向とステープル装置１５０による綴じ方向との整合を取るために，原稿の読み取り結果から画像データが横長かどうかを判断する（Ｓ４０６）。原稿を横長置きとされた場合には，画像データが横長となっているので（Ｓ４０６：Ｙｅｓ），次に綴じ方向が用紙の短辺に平行な方向であるかどうかを判断する（Ｓ４０７）。横長置きで短辺方向綴じの場合は（Ｓ４０７：Ｙｅｓ），画像データの方向のままに画像形成すればよい。
【００３７】
一方，原稿を縦長置きされた場合には，画像データが縦長であり（Ｓ４０６：Ｎｏ），この場合も綴じ方向が用紙の短辺に平行な方向であるかどうかを判断する（Ｓ４０８）。縦長置きで長辺方向綴じの場合も（Ｓ４０８：Ｎｏ），画像データの方向のままに画像形成すればよい。しかし，横長置きで長辺方向綴じの場合や（Ｓ４０６：Ｙｅｓ，Ｓ４０７：Ｎｏ），縦長置きで短辺方向綴じの場合は（Ｓ４０６：Ｎｏ，Ｓ４０８：Ｙｅｓ），画像形成された用紙の搬送方向がステープル方向と直角となるように，画像データを９０度回転する（Ｓ４０９）。
ここで，小冊子原稿モードの場合には，短辺方向綴じが選択されているので，画像データが横長であれば（Ｓ４０６：Ｙｅｓ），そのまま画像形成される。あるいは画像データが縦長であれば（Ｓ４０６：Ｎｏ），画像データを９０度回転して（Ｓ４０９），画像形成される。
【００３８】
次に，画像形成を実行するタイミングであるかどうかを判断する（Ｓ４１０）。画像形成タイミングでは（Ｓ４１０：Ｙｅｓ），画像形成部４０によって画像形成処理が実行され（Ｓ４１１），このルーチンの処理を終了する。画像形成タイミングでない場合は（Ｓ４１０：Ｎｏ），このまま終了する。
【００３９】
次に，図１０に基づいて，フィニッシャ制御処理ルーチンを説明する。これは，フィニッシャ１００の制御を行うルーチンである。ここでは，フィニッシャ１００による処理のうち，ステープル処理に関する部分のみを記載している。小冊子原稿モードでは一般に，ステープル処理が実行される。そこでまず，ステープル処理をするかどうかの判断を行い（Ｓ５０１），ステープル処理をしない場合には（Ｓ５０１：Ｎｏ），このルーチンを終了する。
【００４０】
ステープル処理をする場合には（Ｓ５０１：Ｙｅｓ），まず綴じ位置を判断する（Ｓ５０２，Ｓ５０４，Ｓ５０６）。この綴じ位置は，用紙搬送方向のステープル位置であり，小冊子原稿モードでは，中央綴じが選択される（Ｓ５０４：Ｙｅｓ）。ここでは比較のために，左綴じの場合（Ｓ５０２：Ｙｅｓ）と，右綴じの場合（Ｓ５０６：Ｙｅｓ）についても記載している。フローチャート中の「Ａ」は，左綴じや右綴じのように用紙端部近くにステープルする場合の，用紙端部からステープル位置までの距離を示す。また，「Ｋ」は，用紙の基準位置からの用紙端部（ここでは左端）までの距離を示す。一般に，「Ａ」はあらかじめ設定されており，「Ｋ」は装置の構成から決定されている。
【００４１】
そこで，左綴じが選択された場合には（Ｓ５０２：Ｙｅｓ），用紙を基準位置から（Ａ＋Ｋ）だけ移動させる（Ｓ５０３）。また，中央綴じが選択された場合には（Ｓ５０４：Ｙｅｓ），用紙を基準位置から（用紙長さ／２＋Ｋ）だけ移動させる（Ｓ５０５）。また，右綴じが選択された場合には（Ｓ５０６：Ｙｅｓ），用紙を基準位置から（用紙長さ−Ａ＋Ｋ）だけ移動させる（Ｓ５０７）。これによって，それぞれの綴じ位置にステープル装置１５０がセットされる。ここで，用紙長さとは，用紙搬送方向の用紙長である。小冊子原稿モードでは，用紙長手方向が用紙搬送方向であるので，用紙長手方向の長さが用紙長さとなる。
【００４２】
すなわち，小冊子原稿モードの場合には，中央綴じが選択され（Ｓ５０４：Ｙｅｓ），用紙を基準位置から（用紙長手方向長さ／２＋Ｋ）だけ移動させる（Ｓ５０５）。これにより，用紙長辺方向の中央部を長辺方向と交差する方向に綴じられる。
次に，ステープル処理を行うタイミングであるかどうかを判断する（Ｓ５０８）。ステープル処理を行うタイミングであれば（Ｓ５０８：Ｙｅｓ），ステープル装置１５０を作動させて，所定個数のステープル処理を行う（Ｓ５０９）。さらに，この用紙のステープル処理が終了したら（Ｓ５１０：Ｙｅｓ），ステープル装置１５０を退避させる（Ｓ５１１）。これで，このルーチンの処理を終了する。
【００４３】
以上詳細に説明したように，本形態のコピー機１によれば，小冊子原稿モードが選択されると，デフォルト設定で両面読取，両面印刷，二つ折り，中央綴じ等がセットされる。もともと小冊子状態の原稿を想定しているので，ページの並び順の変更は行わない。従って，画像読取部３０で読み取った画像データを横長方向に揃え，画像形成部４０でそのまま用紙両面に画像形成する。画像形成された用紙は，フィニッシャ１００によって二つ折り，中央綴じにされて排出される。すなわち使用者は，小冊子型原稿の綴じ部を外してＡＤＦ２０にセットし，操作パネル７０より「小冊子原稿」モードを選択して入力するのみでよい。従って，冊子状の原稿から冊子状の複製物を作成する場合に，簡易な設定で自動的に冊子状態として出力することができるコピー機１となっている。
【００４４】
なお，本形態は単なる例示にすぎず，本発明を何ら限定するものではない。したがって本発明は当然に，その要旨を逸脱しない範囲内で種々の改良，変形が可能である。
例えば，上記の形態では，小冊子原稿モードが選択された時には，デフォルトとしてＡＤＦ２０による読み込みが選択されるとしたが，手置き読み込みをデフォルトとしても良い。
また例えば，上記の形態では特に記載していないが，給紙カセット５０に最適な用紙がセットされていない場合には，操作パネル７０に最適用紙のセットを促す表示を行っても良い。あるいは，セットされている用紙の中から大きさの近いものを選択し，画像データのサイズをその用紙サイズに合わせて変更するようにしても良い。
【図面の簡単な説明】
【００４５】
【図１】本形態のコピー機の概略構成を示す概略構成図である。
【図２】小冊子原稿モードでの複写物を示す説明図である。
【図３】コピー機の操作パネルを示す説明図である。
【図４】コピー機の操作パネルを示す説明図である。
【図５】コピー機の操作パネルを示す説明図である。
【図６】コピー処理のメインルーチンを示すフローチャートである。
【図７】キー入力処理ルーチンを示すフローチャートである。
【図８】ＡＤＦ制御処理ルーチンを示すフローチャートである。
【図９】画像形成処理ルーチンを示すフローチャートである。
【図１０】フィニッシャ制御処理ルーチンを示すフローチャートである。
【符号の説明】
【００４６】
１  コピー機（画像複写装置，冊子複製モード指示手段）
３０  画像読取部（画像読み取り部，原稿方向判別手段）
４０  画像形成部（画像形成部）
１２０  紙折り装置（折り処理部）
１５０  ステープル装置（綴じ処理部）
【図１】
2005249837.tif 000003
【図２】
2005249837.tif 000004
【図３】
2005249837.tif 000005
【図４】
2005249837.tif 000006
【図５】
2005249837.tif 000007
【図６】
2005249837.tif 000008
【図７】
2005249837.tif 000009
【図８】
2005249837.tif 000010
【図９】
2005249837.tif 000011
【図１０】
2005249837.tif 000012